(57)【要約】【課題】広範な幅の各種ＰＴＰ包装剤８等を整列収納できるうえ整列収納時に側板が邪魔にならないＰＴＰカセット１０を実現する。【解決手段】ＰＴＰ包装剤８を各々は横にしたうえで縦に積み重ねて整列収納させた状態で保持する整列収納部１１＋１３＋１７と、最下のＰＴＰ包装剤８ａに内底部材１３の所で可動部材１５ａを接触させて前進させる順次排出機構１５とを備えていて、ＰＴＰ包装剤８を下から順に横送りして排出口１２から前方へ排出するＰＴＰカセット１０において、整列収納部１１＋１３＋１７が、右側板１７（唯一側板）を具備して左側板を欠くものであり、右側板１７が鉛直面から右側へ傾斜しており、内底部材１３が水平面から右側へ傾斜している。また、前板１１が鉛直面から前方へ傾斜して前板１１と内底部材１３との角度θが鈍角になっている。【選択図】        図１
2014124390.tif 000002
【特許請求の範囲】
【請求項１】
薬剤をシートに区分収納したＰＴＰ包装剤またはそれと等価なシート状包装剤であるＰＴＰ包装剤等を各々は横にしたうえで縦に積み重ねて整列収納させた状態で保持する整列収納部と、前記ＰＴＰ包装剤等のうち最下のものに前記整列収納部の内底で可動部材を接触させて前進させる順次排出機構とを備えていて、前記ＰＴＰ包装剤等を下から順に横送りして前記整列収納部の排出口から前方へ排出するＰＴＰカセットにおいて、前記整列収納部が、前記排出口の上方に位置する前板と、前記内底のうち左右いずれか一方だけに設けられた唯一側板とを具備したものであり、前記唯一側板が鉛直面から前記一方の側へ傾斜しており、前記内底が水平面から前記一方の側へ傾斜していることを特徴とするＰＴＰカセット。
【請求項２】
前記前板が鉛直面から前方へ傾斜して前記前板と前記内底との角度が鈍角になっていることを特徴とする請求項１記載のＰＴＰカセット。
【発明の詳細な説明】
【技術分野】
【０００１】
この発明は、幾つかの薬剤を一枚のシートに区分収納したＰＴＰ包装剤またはそれと等価なシート状包装剤であるＰＴＰ包装剤等を整列収納して順次排出するＰＴＰカセットに関し、詳しくは、ＰＴＰ包装剤等を積み重ねて多数保持するとともに下から順に長手方向へ横送りして排出するＰＴＰカセットに関する。
【背景技術】
【０００２】
片面が平坦で他面に薬剤を閉じ込めたポケット（区分収納用の突起部）が縦横に形成されているＰＴＰ包装剤等を対象として、それぞれを横向きの姿勢にしたうえで積み重ねて多数保持するとともに下から順に長手方向へ横送りして順次排出するようになったＰＴＰカセットが、幾つか開発されている（例えば特許文献１〜１２参照）。
何れのＰＴＰカセットも、収納空間を画する箱状の整列収納部と、その下に設けられた順次排出機構とを備えており、そのうち整列収納部は、ＰＴＰ包装剤等を各々は横にしたうえで収納空間の内底の部材の上に載せて縦に積み重ねて整列収納させた状態で保持するようになっており、順次排出機構は、整列収納部に保持されているＰＴＰ包装剤等を下から順に横送りして前方へ排出するようになっている。
【０００３】
整列収納部は、何れのカセットでも構成が似ており、整列状態維持のため内底の上の収納空間が前板と両側板で囲まれているが、ＰＴＰ包装剤等の補充のため、上面が解放されている。また、補充作業容易化のため後背面まで解放されたり、整列状態安定化のため収納空間の内底部材が少し前下がりに傾けられたりしている。さらに、横送り排出のため、前板のうち内底の前端のところが切り欠かれて、排出口が形成されており、排出確認のため排出口の下方には排出センサが置かれている。前板については、ＰＴＰ包装剤等の送り方向を定める内底部材が水平であろうと傾斜していようと前板が鉛直になっているものもあれば、前板が内底部材に対して直角・垂直になっているものもある（特許文献７参照）。また、前板には、排出口の上部に位置して排出口の開度を加減する調整部材が付設されており、調整部材には、髭状の可撓性留具や単純な板状体が採用されているが、調整部材と内底部材とが直角のものもあれば鈍角のものもある（特許文献７参照）。
【０００４】
順次排出機構は、整列収納部に保持されているＰＴＰ包装剤等のうち最下のものに接触作用する可動部材と、この可動部材を運動させて最下のＰＴＰ包装剤等を前送りさせることにより排出口から前方へ放出させる駆動機構とを備えている点は、何れのカセットにも共通しているが、可動部材がＰＴＰ包装剤の後端に当接作用する引掛部材や押出部材であって駆動機構がその可動部材を内底部材に沿って前送りする機構になっている後端当接タイプと（特許文献１〜７，１２参照）、平坦面を上にし突起部形成面を下にして縦に積み重ねられたＰＴＰ包装剤の突起部に可動部材が当接作用して最下のＰＴＰ包装剤を前送りする突起部当接タイプと（特許文献８〜１０参照）、平坦面を下にして縦に積み重ねられたＰＴＰ包装剤等の平坦面に可動部材としての回転輪が摩擦作用することで最下のＰＴＰ包装剤を前送りする平坦面摩擦タイプとがある（特許文献１１参照）。
【先行技術文献】
【特許文献】
【０００５】
【特許文献１】特開２００９−１３１５６０号公報
【特許文献２】特開２００９−１６５６７５号公報
【特許文献３】特開２００９−２９７４６６号公報
【特許文献４】特開２０１１−１７２６７５号公報
【特許文献５】特開２０１１−１７２６７７号公報
【特許文献６】特開２０１２−０５５３６５号公報
【特許文献７】特開２０１２−０６５９３０号公報
【特許文献８】特開２０１２−０６５９３１号公報
【特許文献９】特開２０１２−０７５７５４号公報
【特許文献１０】特開２０１２−１００７２４号公報
【特許文献１１】特開２０１２−１４７８１３号公報
【特許文献１２】特開２０１２−１８７２６４号公報
【発明の概要】
【発明が解決しようとする課題】
【０００６】
このような従来のＰＴＰカセットでは、上述したように整列収納部の前板や内底部材が前後方向や上下方向に傾斜したものはあったが、整列収納部が左右に傾斜したものは無かった。すなわち、ＰＴＰカセットの整列収納部には両側板が具備されているが、左側板も、右側板も、小さな付設部材は別として、主要な平板部は鉛直面と平行になっていた。
このため、ＰＴＰ払出装置に多数のＰＴＰカセットを縦横に並べて各ＰＴＰカセットに種々のサイズのＰＴＰ包装剤等を収容するには、カセット幅固定であれば各種サイズのＰＴＰカセットを用意しておく必要があり、カセット幅調整可能であれば各ＰＴＰカセット毎に内幅をＰＴＰ包装剤等の横幅に適合させる調整作業を済ませておく必要がある。
【０００７】
そして、それらに掛かる費用である材工費は、ＰＴＰ払出装置およびＰＴＰカセットの初期導入時ばかりか、導入後にＰＴＰ払出装置を使用し続ける場合であっても、取り扱うＰＴＰ包装剤等の追加や変更などによってＰＴＰカセットにも追加や再調整が必要になったときにも、ＰＴＰカセットの個数が多いため、嵩みがちである。
また、整列収納部の収納空間にＰＴＰ包装剤等を補充する作業は、収納空間を挟んで対峙している両側板の間にＰＴＰ包装剤等を積み重ねていく整列収納行為であるため、能率向上が難しい。特に、ＰＴＰ包装剤等の長さが短いと、補充時に両側板が邪魔になる。
そこで、広範な幅の各種ＰＴＰ包装剤等を整列収納できるうえ整列収納時に側板が邪魔でないＰＴＰカセットを実現することが技術的な課題となる。
【課題を解決するための手段】
【０００８】
本発明のＰＴＰカセットは（解決手段１）、このような課題を解決するために創案されたものであり、薬剤をシートに区分収納したＰＴＰ包装剤またはそれと等価なシート状包装剤であるＰＴＰ包装剤等を各々は横にしたうえで縦に積み重ねて整列収納させた状態で保持する整列収納部と、前記ＰＴＰ包装剤等のうち最下のものに前記整列収納部の内底で可動部材を接触させて前進させる順次排出機構とを備えていて、前記ＰＴＰ包装剤等を下から順に横送りして前記整列収納部の排出口から前方へ排出するＰＴＰカセットにおいて、前記整列収納部が、前記排出口の上方に位置する前板と、前記内底のうち左右いずれか一方だけに設けられた唯一側板とを具備したものであり、前記唯一側板が鉛直面から前記一方の側へ傾斜しており、前記内底が水平面から前記一方の側へ傾斜していることを特徴とする。
【０００９】
また、本発明のＰＴＰカセットは（解決手段２）、上記解決手段１のＰＴＰカセットであって、前記前板が鉛直面から前方へ傾斜して前記前板と前記内底との角度が鈍角になっていることを特徴とする。
【発明の効果】
【００１０】
このような本発明のＰＴＰカセットにあっては（解決手段１）、整列収納部の左側板と右側板とのうち片方を省いたことにより、内底の上にＰＴＰ包装剤等を積み上げる整列収納がカセットの後方からだけでなく解放側面からも行えるので、補充作業が容易かつ迅速に行えることとなる。また、両側板のうち残った唯一側板に加えて内底も同一方向に傾斜させて整列収納空間が唯一側板と内底との何れに対しても斜め上に位置するようにしたことにより、内底部材の上に積み上げたＰＴＰ包装剤等が、唯一側板の上側の傾斜面に沿って自然に整列するので、側板が片方しかなくても、整列収納状態が安定して、整列収納ＰＴＰ包装剤等が崩れ難くなる。しかも、ＰＴＰ包装剤等の横幅が内底の横幅と異なっていても、その相違がＰＴＰ包装剤等が内底部材に乗らないほど大きかったり順次排出機構の可動部材で横送りできないほど小さい極端な場合は別として、整列収納に不都合はない。
したがって、この発明によれば、広範な幅の各種ＰＴＰ包装剤等を整列収納できるうえ整列収納時に側板が邪魔でないＰＴＰカセットを実現することができる。
【００１１】
また、本発明のＰＴＰカセットにあっては（解決手段２）、ＰＴＰ払出装置の前下がり棚の上に載置されると、その棚に倣って内底が前下がり傾斜するとともに、内底に加えて前板も前方へ傾斜させて整列収納空間が内底と前板との何れに対しても斜め上に位置するようにしたことにより、内底上に積み上げたＰＴＰ包装剤等が、前板の上側の傾斜面に沿って自然に整列するので、前後方向についても整列収納状態が安定して、整列収納ＰＴＰ包装剤等が崩れ難くなる。しかも、ＰＴＰ包装剤等を前板に寄せて積み上げる整列収納がカセットの解放側面からも行えることもあって、長さの短いＰＴＰ包装剤等でも補充作業を容易かつ迅速に行うことができる。さらに、前板と内底との角度が鈍角になるところまで前板を傾斜させたことにより、最下のＰＴＰ包装剤等の排出時にそれに摩擦等で引きずられて二番目以降のＰＴＰ包装剤等も前進しようとしたときの前進力が、前板によって上斜め向きの力に変換されて排出口から離れる方向へ誘導するので、二番目以降のＰＴＰ包装剤等が排出口へ引きずり込まれるという不所望な事態の発生が未然に防止される。
【図面の簡単な説明】
【００１２】
【図１】本発明の実施例１について、ＰＴＰカセットの構造等を示し、（ａ）が正面図、（ｂ）が右斜め下から見たＢ矢視図、（ｃ）が左斜め上から見たＡ矢視図、（ｄ）及び（ｅ）が正面図、（ｆ）が左側面図である。
【発明を実施するための形態】
【００１３】
このような本発明のＰＴＰカセットについて、これを実施するための具体的な形態を、以下の実施例１により説明する。
図１に示した実施例１は、上述した解決手段１〜２（出願当初の請求項１〜２）を総て具現化したものである。
なお、それらの図示に際しては、簡明化等のため、ボルト等の締結具や，ヒンジ等の連結具，電動モータ等の駆動源，タイミングベルト等の伝動部材，モータドライバ等の電気回路，コントローラ等の電子回路などは図示を割愛し、発明の説明に必要なものや関連するものを中心に図示した。
【実施例１】
【００１４】
本発明のＰＴＰカセットの実施例１について、その具体的な構成を、図面を引用して説明する。図１（ａ）は、ＰＴＰカセット１０の正面図、同図（ｂ）は、ＰＴＰカセット１０を右斜め下から見たＢ矢視図、同図（ｃ）は、ＰＴＰカセット１０を左斜め上から見たＡ矢視図である。また、図１（ｄ），（ｆ）は、ＰＴＰ包装剤８を整列収納したＰＴＰカセット１０の外観を示しており、（ｄ）が正面図、（ｆ）が左側面図である。
【００１５】
このＰＴＰカセット１０は（図１（ａ）〜（ｃ）参照）、多数のＰＴＰ包装剤８をそれぞれは横にして縦に積み重ねて整列収納するとともに最下のＰＴＰ包装剤８ａから前方へ順次排出するために、整列収納部１１＋１３＋１７と順次排出機構１５と傾斜支持部材１６とを具えている。取扱対象のＰＴＰ包装剤８は（図１（ｄ），（ｆ）参照）、略長方形状のシート状包装剤の代表例であり、既述したように、幾つかの薬剤を一枚のシートに区分収納している。ＰＴＰ包装剤８の片面には、薬剤収納用のポケット（中空突部）が縦横に並んで形成されており、他面は、ポケット封止紙を貼られて平面になっている。
【００１６】
整列収納部１１＋１３＋１７は、既述したようにＰＴＰ包装剤８を各々は横にしたうえで縦に積み重ねて整列収納させた状態で保持するものであるが（図１（ｄ），（ｆ）参照）、従来品と異なり、両側板のうち左側板が無くなって、右側板１７（唯一側板）だけが残っている（図１（ａ）〜（ｃ）参照）。
しかも、右側板１７の後方部分については上側部分が切り欠かれて切欠１７ａになっている。切欠１７ａは、割と大きくて、右側板１７の面積の４分の１以上を占めている。
【００１７】
また、最下のＰＴＰ包装剤８ａを直に載せて下から支えるとともに最下のＰＴＰ包装剤８ａの横送り経路をなす内底部材１３と、排出口１２の上方に位置していて排出口１２の上部に可撓性留具１１ａを垂下保持する前板１１とを具えていることは従来通りであるが、従来と異なり、後で詳述する傾斜支持部材１６によって傾斜支持されたことにより、右側板１７が右側板１７側の右方へ（内底部材１３の左右のうち唯一側板の方である一方の側へ）傾斜しており、それと同じく内底部材１３も傾斜している。すなわち、右側板１７も内底部材１３も正面視で（図１（ａ）参照）時計回りに例えば１５゜ほど傾いている。
さらに、この整列収納部１１＋１３＋１７では（図１（ｃ）参照）、前板１１が鉛直面から前方へ傾斜して即ちＡ矢視で時計回りに例えば２０゜ほど傾いて、前板１１と内底部材１３との角度θが鋭角でも直角でもなくそれより広い鈍角になっている。
【００１８】
順次排出機構１５は、整列収納部１１＋１３＋１７に積み上げられたＰＴＰ包装剤８，８，…のうち最下のＰＴＰ包装剤８ａに内底部材１３の間隙の所で可動部材１５ａを接触させて前進させることで、最下のＰＴＰ包装剤８ａを排出口１２から前方へ送り出すことができるものであり、具体的には、既述した従来の後端当接タイプでも突起部当接タイプでも平坦面摩擦タイプでも、あるいは他のタイプでも良いので、図では直方体状のブロックと鈎爪状の可動部材１５ａと付設の排出センサ１４とを簡略表示し、細部の説明は割愛する。
【００１９】
傾斜支持部材１６は、例えば図示した板体や図示しない棒材など適宜な支持部材からなり、推戴順次排出機構１５の底面に取り付けられており、水平面の上に置かれると、順次排出機構１５ひいては整列収納部１１＋１３＋１７を右側板１７の方向（左右方向のうち唯一側板の側の右方）へ傾斜させた状態で支持するようになっている（図１（ａ）参照）。また（図１（ｆ）参照）、ＰＴＰ払出装置の前下がり棚２０の上に載置されると、その棚の傾斜に倣って、内底部材１３を含むＰＴＰカセット１０全体が前下がり傾斜するようになっている。そのため、ＰＴＰカセット１０は、ＰＴＰ払出装置にセットされると、内底部材１３に加えて前板１１が前方へ傾斜するとともに、右側板１７に加えて内底部材１３も右方へ傾斜するので、整列収納空間が内底部材１３と前板１１と右側板１７との何れに対しても斜め上に位置し、さらに、その最下点に排出口１２が位置することとなる。
【００２０】
この実施例１のＰＴＰカセット１０について、その使用態様及び動作を、図面を引用して説明する。図１（ｄ）〜（ｆ）は、ＰＴＰ包装剤８を整列収納したＰＴＰカセット１０の外観を示しており、（ｄ）及び（ｅ）が正面図、（ｆ）が左側面図である。
【００２１】
図示したＰＴＰカセット１０は後端当接タイプなので、ＰＴＰ包装剤８を補充するときは、平坦面側を下にしポケット側を上にしてＰＴＰ包装剤８を内底部材１３の上に積み上げる（図１（ｄ）〜（ｆ）参照）。整列収納空間には天板や後背板ばかりか左側板も無いので収納作業が楽であり、特にＰＴＰカセット１０を前下がり棚２０から取り外して収納すると作業が一段と楽になる。しかも、ＰＴＰカセット１０を前下がり棚２０に載せたままであれ、ＰＴＰカセット１０を前下がり棚２０から取り外して作業台上等に置いた場合であれ、右側板１７と内底部材１３が正面視で時計回り方向へ傾斜しているので、整列収納部１１＋１３＋１７に積み上げられたＰＴＰ包装剤８，８，…は、右側板１７に寄り添うようにして自然に安定する（図１（ｄ），（ｅ）参照）。
【００２２】
また、そのようなＰＴＰ包装剤８，８，…の安定した整列収納には、左側板の存在が必要なく、ＰＴＰ包装剤８，８，…を右側板１７に寄せれば足りるので、内底部材１３ひいては整列収納空間の横幅より幅の小さいＰＴＰ包装剤８，８，…を積み上げて整列収納するのも可能である（図１（ｅ）参照）。この場合も、収納作業は楽であり、積み上げられたＰＴＰ包装剤８，８，…は右側板１７に沿って安定する。
【００２３】
さらに（図１（ｆ）参照）、ＰＴＰ包装剤８，８，…を整列収納したＰＴＰカセット１０が前下がり棚２０の上にセットされると、又は前下がり棚２０の上にセットされていたＰＴＰカセット１０にＰＴＰ包装剤８，８，…を整列収納すると、その状態では、整列収納部１１＋１３＋１７の整列収納空間が内底部材１３が右下がり且つ前下がりに傾斜しているうえ、右側板１７が右倒れ気味に且つ右側板１７が前倒気味に傾斜しているので、内底部材１３の上に積み上げられたＰＴＰ包装剤８，８，…は右側板１７と前板１１とに沿って安定し、最下のＰＴＰ包装剤８ａは排出口１２の所で前端か最先のポケットを可撓性留具１１ａに当ててそこに留まる。
【００２４】
こうして、ＰＴＰカセット１０にＰＴＰ包装剤８，８，…が整列収納されるとともに、そのＰＴＰカセット１０がＰＴＰ払出装置の前下がり棚２０の上にセットされると、ＰＴＰ包装剤８の逐次排出の準備が整う。そして、そのＰＴＰカセット１０に図示しない上位の制御装置の自動制御や調剤者の手動操作にて排出指示が出ると、それに応じて順次排出機構１５が順次排出動作を行い、最下のＰＴＰ包装剤８ａが内底部材１３の上面に沿って横送りされて排出口１２から前方へ排出される。
【００２５】
このときも、そして最下のＰＴＰ包装剤８ａが抜けて二番目以降のＰＴＰ包装剤８，８，…が内底部材１３の上へ落下するときも、ＰＴＰ包装剤８は、皆、右側板１７に寄り添うようにして落ち着くので、整列収納状態を安定維持する。
また、最下のＰＴＰ包装剤８ａが排出口１２を通過するときに、二番目以降のＰＴＰ包装剤８，８，…が例え最下のＰＴＰ包装剤８ａに引きずられかけたとしても、前板１１と内底部材１３との角度θが鈍角になっているため、二番目以降のＰＴＰ包装剤８，８，…は、前板１１や可撓性留具１１ａに乗り上げるような向きに進もうとして、排出口１２から上方へ離れるので、最下のＰＴＰ包装剤８ａと一緒に他のＰＴＰ包装剤８も排出口１２から排出されてしまうという不所望な二枚出しが的確に防止される。
【００２６】
［その他］
上記実施例では、右側板１７が唯一側板として残り左側板が無くなっていたが、左側板を唯一側板として残し右側板を無くしても良い。
上記実施例では、排出センサ１４として排出口１２の斜め下に設けられた反射式フォトセンサを図示したが、排出センサ１４は、排出口１２の斜め上に設けても良く、排出経路を上下から挟んで透過光の遮断にて排出を検出するものでも良い。
上記実施例では、整列収納部１１＋１３＋１７と共に順次排出機構１５も傾斜していたが、両者の間に傾斜支持部材１６を移設する等のことにより、整列収納部１１＋１３＋１７だけ傾斜させるようにしても良い。
【００２７】
上記実施例では、前下がり棚２０に載置することでＰＴＰカセット１０特に内底部材１３が前下がり傾斜するようになっていたが、例えば傾斜支持部材１６の後背寄り部分を厚くする等のことにより、ＰＴＰカセット１０を単体で水平面上に置いただけでＰＴＰカセット１０が前下がり傾斜するように改造しても良い。
上記実施例では、右側板１７及び内底部材１３の左右方向傾斜や，内底部材１３の前下がり傾斜，前板１１と内底部材１３との角度θが、固定的になっていたが、任意のものを可変式にしても良い。
【００２８】
上記実施例では、整列収納部１１＋１３＋１７が順次排出機構１５に固定的に連結されていたが、整列収納部１１＋１３＋１７は順次排出機構１５に対して着脱式になっていても良い。着脱式の場合、内底部材１３は整列収納部１１＋１３＋１７に装着されて順次排出機構１５から離脱可能になるが、固定式の場合は、内底部材１３が順次排出機構１５の上面部材を兼ねていても良い。
上記実施例では、前板１１が右側板１７に固定されていたが、前板１１より更に前に支持板や支持枠等を設けて、それに前板１１を装着しても良く、可撓性留具１１ａだけでなく前板１１も上下位置を可変調整しうるようにしても良い。
【産業上の利用可能性】
【００２９】
本発明のＰＴＰカセットは、上述したようにＰＴＰ払出装置に一つ又は複数組み込んで使用される他、単体で使用することもできる。
【符号の説明】
【００３０】
８…ＰＴＰ包装剤、８ａ…最下のＰＴＰ包装剤、
１０…ＰＴＰカセット、
１１…前板、１１ａ…可撓性留具、１２…排出口、１３…内底部材、
１４…排出センサ、１５…順次排出機構、１５ａ…可動部材、
１６…傾斜支持部材、１７…右側板、１７ａ…切欠、
２０…前下がり棚（ＰＴＰ払出装置）
【図１】
2014124390.tif 000003